【手続補正書】
【提出日】平成28年2月29日(2016.2.29)
【手続補正１】
【補正対象書類名】特許請求の範囲
【補正対象項目名】全文
【補正方法】変更
【補正の内容】
【特許請求の範囲】
【請求項１】
画像形成手段により単色の記録材を用いて形成された単色のパッチ画像を測色した結果を用いて、前記画像形成手段が形成する単色画像の色値を目標値に近づけるために用いられる単色補正データを取得する第１の取得手段と、
前記画像形成手段により複数の記録剤を用いて形成された混色のパッチ画像を測色した結果を用いて、前記画像形成手段が形成する混色画像の色値を目標値に近づけるために用いられる混色補正データを取得する第２の取得手段と、
前記第１の取得手段により取得された単色補正データと前記第２の取得手段により取得された混色補正データとを用いて前記画像形成手段により形成されるカラー画像に対して補正を行う第１の処理手段と、
前記第２の取得手段により取得された混色補正データを用いず、前記第１の取得手段により取得された単色補正データを用いて前記画像形成手段により形成されるカラー画像に対して補正を行う第２の処理手段と、
前記画像形成手段によりカラー画像を形成する場合に、前記第１の処理手段により補正を実行するか前記第２の処理手段により補正を実行するか、を設定する設定手段と、
を有することを特徴とする画像処理装置。
【請求項２】
前記画像形成手段により形成するカラー画像がプリントジョブの実行により取得される場合に、前記設定手段による設定を行うことを特徴とする請求項１に記載の画像処理装置。
【請求項３】
前記画像形成手段により形成するカラー画像がコピージョブの実行により取得される場合に、前記設定手段による設定を行うことを特徴とする請求項１に記載の画像処理装置。
【請求項４】
前記設定手段による設定を行うための画面を表示させる表示手段を有することを特徴とする請求項１に記載の画像処理装置。
【請求項５】
前記設定手段による設定を行うための画面を表示させる表示手段を有し、
前記画面には、
前記画像形成手段により形成するカラー画像がコピージョブの実行により取得される場合に前記第１の処理手段により補正を実行するか前記第２の処理手段により補正を実行するかを選択するための画面と前記画像形成手段により形成するカラー画像がプリントジョブの実行により取得される場合に前記第１の処理手段により補正を実行するか前記第２の処理手段により補正を実行するかを選択するための画面とが表示されることを特徴とする請求項１に記載の画像処理装置。
【請求項６】
前記設定手段により前記第２の処理手段により補正を実行すると設定された場合、前記第２の取得手段による混色補正データの取得を中止することを特徴とする請求項１に記載の画像処理装置。
【請求項７】
前記設定手段は、前記カラー画像を構成するページ毎に、前記第１の処理手段により補正を実行するか前記第２の処理手段により補正を実行するかを設定することを特徴とする請求項１に記載の画像処理装置。
【請求項８】
前記設定手段は、前記カラー画像にグラデーション画像が含まれる場合は、前記第２の処理手段よる補正のみ実行できるよう設定することを特徴とする請求項１に記載の画像処理装置。
【請求項９】
画像形成手段により単色の記録材を用いて形成された単色のパッチ画像を測色した結果を用いて、前記画像形成手段が形成する単色画像の色値を目標値に近づけるために用いられる単色補正データを取得する第１の取得ステップと、
前記画像形成手段により複数の記録剤を用いて形成された混色のパッチ画像を測色した結果を用いて、前記画像形成手段が形成する混色画像の色値を目標値に近づけるために用いられる混色補正データを取得する第２の取得ステップと、
前記第１の取得ステップにて取得された単色補正データと前記第２の取得ステップにて取得された混色補正データとを用いて前記画像形成手段により形成されるカラー画像の補正を行う第１の処理ステップと、
前記第２の取得ステップにて取得された混色補正データを用いず、前記第１の取得ステップにて取得された単色補正データを用いて前記画像形成手段により形成されるカラー画像の補正を行う第２の処理ステップと、
前記画像形成手段によりカラー画像を形成する場合に、前記第１の処理ステップにて補正を実行するか前記第２の処理ステップにて補正を実行するか、を設定する設定ステップと、
を有することを特徴とする画像処理方法。
【請求項１０】
前記画像形成手段により形成するカラー画像がプリントジョブの実行により取得される場合に、前記設定ステップにて設定を行うことを特徴とする請求項９に記載の画像処理方法。
【請求項１１】
前記画像形成手段により形成するカラー画像がコピージョブの実行により取得される場合に、前記設定ステップにて設定を行うことを特徴とする請求項９に記載の画像処理方法。
【請求項１２】
前記設定ステップにて設定を行うための画面を表示させる表示部を有することを特徴とする請求項９に記載の画像処理方法。
【請求項１３】
前記設定ステップにて設定を行うための画面を表示させる表示部を有し、
前記画面には、
前記画像形成手段により形成するカラー画像がコピージョブの実行により取得される場合に前記第１の処理ステップにて補正を実行するか前記第２の処理ステップにて補正を実行するかを選択するための画面と、前記画像形成手段により形成するカラー画像がプリントジョブの実行により取得される場合に前記第１の処理ステップにて補正を実行するか前記第２の処理ステップにて補正を実行するかを選択するための画面と、が表示されることを特徴とする請求項９に記載の画像処理方法。
【請求項１４】
前記設定ステップにて前記第２の処理ステップを実行すると設定された場合、前記第２の取得ステップにて混色補正データの取得を中止することを特徴とする請求項９に記載の画像処理方法。
【請求項１５】
前記設定ステップは、前記カラー画像を構成するページ毎に、前記第１の処理ステップにて補正を実行するか前記第２の処理ステップにて補正を実行するかを設定すること特徴とする請求項９に記載の画像処理方法。
【請求項１６】
前記設定ステップは、前記カラー画像にグラデーション画像が含まれる場合は、前記第２の処理ステップにおける補正のみ実行できるよう設定することを特徴とする請求項９記載の画像処理方法。
【請求項１７】
コンピュータに
画像形成手段により単色の記録材を用いて形成された単色のパッチ画像を測色した結果を用いて、前記画像形成手段が形成する単色画像の色値を目標値に近づけるために用いられる単色補正データを取得する第１の取得ステップと、
前記画像形成手段により複数の記録剤を用いて形成された混色のパッチ画像を測色した結果を用いて、前記画像形成手段が形成する混色画像の色値を目標値に近づけるために用いられる混色補正データを取得する第２の取得ステップと、
前記第１の取得ステップにて取得された単色補正データと前記第２の取得ステップにて取得された混色補正データとを用いて前記画像形成手段により形成されるカラー画像の補正を行う第１の処理ステップと、
前記第２の取得ステップにて取得された混色補正データを用いず、前記第１の取得ステップにて取得された単色補正データを用いて前記画像形成手段により形成されるカラー画像の補正を行う第２の処理ステップと、
前記画像形成手段によりカラー画像を形成する際に、前記第１の処理ステップにて補正を実行するか前記第２の処理ステップにて補正を実行するか、を設定する設定ステップと、
を実行させるプログラム。
【手続補正２】
【補正対象書類名】明細書
【補正対象項目名】００１０
【補正方法】変更
【補正の内容】
【００１０】
前記課題を解決するため本発明の画像処理装置は、画像形成手段により単色の記録材を用いて形成された単色のパッチ画像を測色した結果を用いて、前記画像形成手段が形成する単色画像の色値を目標値に近づけるために用いられる単色補正データを取得する第１の取得手段と、前記画像形成手段により複数の記録剤を用いて形成された混色のパッチ画像を測色した結果を用いて、前記画像形成手段が形成する混色画像の色値を目標値に近づけるために用いられる混色補正データを取得する第２の取得手段と、前記第１の取得手段により取得された単色補正データと前記第２の取得手段により取得された混色補正データとを用いて前記画像形成手段により形成されるカラー画像に対して補正を行う第１の処理手段と、前記第２の取得手段により取得された混色補正データを用いず、前記第１の取得手段により取得された単色補正データを用いて前記画像形成手段により形成されるカラー画像に対して補正を行う第２の処理手段と、前記画像形成手段によりカラー画像を形成する場合に、前記第１の処理手段により補正を実行するか前記第２の処理手段により補正を実行するか、を設定する設定手段と、を有することを特徴とする。